(57)【特許請求の範囲】
【請求項１】
多数本の金属製打ち込み式ファスナーと、前記ファスナーが並列状に並べた状態に保持される合成樹脂製の保持体とを備えており、
前記各ファスナーは、先窄まりの軸とこの軸の基端に設けた頭部とを備えており、前記軸の長手方向に沿った中途部に座金が組み込まれていると共に、前記軸は、前記頭部に向けて外径が徐々に拡大するテーパ状部を有している一方、
前記保持体は、前記ファスナーにおける軸のうち頭部と座金との間の部分を把持するスリーブと、隣り合ったスリーブを連結する脆弱部とから成っており、前記各スリーブは、前記ファスナーの軸心を挟んで両側に配置された第１部分と第２部分とから成っており、隣り合った第１部分の相互間及び隣り合った第２部分の相互間がそれぞれ前記脆弱部を介して一体に連結されており、このため、多数の第１部分が連結された形態の第１ユニットが一体成形されていると共に、多数の第２部分が連結された形態の第２ユニットが一体形成されており、かつ、前記各スリーブを構成する各第１部分と各第２部分とは、前記第１ユニットと第２ユニットとを互いに重ね合わせると弾性に抗して変形してから噛み合う係合手段で連結されており、
前記係合手段は、係合穴と係合爪との組み合わせ又は係合凹所と係合爪との組み合わせ若しくは係合爪と係合爪との組み合わせであり、前記ファスナーの打ち込みにて前記第１部分と第２部分との連結が解除されることを許容している、
打ち込み式連結ファスナー。
【発明の詳細な説明】
【技術分野】
【０００１】
本願発明は、先窄まりのピンや鋲のような打ち込み式ファスナーの多数本を保持体で連結してなる打ち込み式連結ファスナーに関するものである。
【背景技術】
【０００２】
各種のワークを基材に固定するための締結具として、打ち込み式ファスナーが使用されている。打ち込み式ファスナーの例としては、釘、先端部を尖らせた頭部付きのピン又は鋲が挙げられる。これら打ち込み式ファスナーの多くは、打ち込み工具を使用して打ち込まれる。打ち込み工具は、動力源から見て、圧縮空気を使用したもの、ガスの燃焼圧を利用したもの、火薬の爆発を利用したものに大別される。
【０００３】
そして、ファスナーの多数本を平行に並べた状態にして保持体で連結することによって連結ファスナーを構成しており、この連結ファスナーを打込み工具のマガジンに装填して、連結ファスナーを１ピッチずつ送りながら打ち込みロッド（ハンマーブレード）を前後動させることにより、ファスナーを連続的に打ち出しできるようになっている。
【０００４】
保持体の形態や素材はファスナーの種類や打ち込み工具の種類（特にマガジンの形態）によって様々であり、保持体の一例として例えば特許文献１には、ストレート状のマガジンに装填する連結ファスナーの保持体として、１本のファスナーを把持するスリーブの多数個が脆弱なブリッジ部を介して連結されたものが開示されている。
【特許文献１】特許第２５８８８１２号公報
【発明の開示】
【発明が解決しようとする課題】
【０００５】
前記特許文献１の保持体は樹脂を素材として全体が一体成形されており、各スリーブにファスナーの軸をその先端から差し込むことにより、ファスナーが保持体に組み込まれる（装填される）ようになっている。
【０００６】
他方、打ち込み式ファスナーとして、予め軸の中途に座金を組み込んだものがある。また、例えば特開２００２−２０１８０１号公報に記載されているように、軸の中途部にフランジ部を一体に形成したスタッドタイプのファスナーも提案されている。
【０００７】
このように軸に座金が組み込まれたりフランジ部が形成されたりしているファスナーを保持体で連結する場合、安定性の点からは、軸のうち座金と頭部との間又はフランジ部と頭部との間の部位を保持体で把持するのが好適であるが、従来のように全体を一体成形した保持体では、座金又はフランジ部が邪魔になって嵌め込みできないため、座金付き又はフランジ部付きのファスナーを好適な状態で連結することができなかった。
【０００８】
本願発明は、このような現状を改善することを課題として成されたものである。
【課題を解決するための手段】
【０００９】
【００１０】
【００１１】
【００１２】
本願発明は、多数本の金属製打ち込み式ファスナーと、前記ファスナーが並列状に並べた状態に保持される合成樹脂製の保持体とを備えている連結ファスナーに係るものであり、この連結ファスナーにおいて、前記各ファスナーは、先窄まりの軸とこの軸の基端に設けた頭部とを備えており、前記軸の長手方向に沿った中途部に座金が組み込まれていると共に、前記軸は、前記頭部５に向けて外径が徐々に拡大するテーパ状部を有している。
【００１３】
一方、前記保持体は、前記ファスナーにおける軸のうち頭部と座金との間の部分を把持するスリーブと、隣り合ったスリーブを連結する脆弱部とから成っており、前記各スリーブは、前記ファスナーの軸心を挟んで両側に配置された第１部分と第２部分とから成っており、隣り合った第１部分の相互間及び隣り合った第２部分の相互間がそれぞれ前記脆弱部を介して一体に連結されており、このため、多数の第１部分が連結された形態の第１ユニットが一体成形されていると共に、多数の第２部分が連結された形態の第２ユニットが一体形成されており、かつ、前記各スリーブを構成する各第１部分と各第２部分とは、前記第１ユニットと第２ユニットとを互いに重ね合わせると弾性に抗して変形してから噛み合う係合手段で連結されており、前記係合手段は、係合穴と係合爪との組み合わせ又は係合凹所と係合爪との組み合わせ若しくは係合爪と係合爪との組み合わせであり、前記ファスナーの打ち込みにて前記第１部分と第２部分との連結が解除されることを許容している。なお、本願発明において「多数」とは例えば３本以上の複数をいう。
【発明の効果】
【００１４】
本願発明の保持体は第１ユニットと第２ユニットとの分離方式になっているため、ファスナーが座金を備えていても、第１ユニットと第２ユニットとを分離した状態からファスナーの軸に重ねて互いに連結することにより、多数本のファスナーを座金と頭部との間の箇所において連結することができる。
【００１５】
このため、座金付きファスナーを安定性の高い状態に連結することができ、その結果、打ち込み工具に装填して連続的な打ち込み作業を行うことの現実性を確保できる。換言すると、座金付きファスナーの実用性を格段に向上させることができるのである。
【００１６】
【００１７】
第１部分と第２部分とを接合する方法としては、接着剤又は両面接着テープを使用して接着する方法や、保持体を樹脂製として、熱板又は高周波若しくは超音波を利用して融着（溶着）するといったことが考えられるが、本願発明のように係合爪と係合穴又は係合凹所との嵌め合わせ等を採用すると、特別の部材を要しないため組み立て工程を簡素化できる利点がある。
【００１８】
第１部分と第２部分とのうちいずれか一方だけをブリッジ部で連結されたユニットと成して、他方の部分はバラバラの状態に製造することも考えられるが、この場合は、組み立て装置（治具類やフィーダ類）が複雑になる。これに対して本願発明のように両部分ともブリッジ部で連結すると、保持体は２つのユニットのみで構成されるため組み立てが容易になる利点がある。
【発明を実施するための最良の形態】
【００１９】
次に、本願発明の実施形態を図面に基づいて説明する。
【００２０】
(1).第１実施形態の概略
図１〜図５では第１実施形態を示している。図１は連結ファスナーの一部省略正面図、図２のうち（Ａ）の連結ファスナーの部分的な分離正面図、（Ｂ）は部分的な正面図、（Ｃ）は（Ｂ）のＣ−Ｃ視断面図、（Ｄ）は（Ｂ）のＤ−Ｄ視断面図である。以下の説明では上下・左右の文言を使用するが、この上下左右は、正面図としている図１を基準にしている（つまり、ファスナーの軸方向が上下方向、ファスナーの並び方向が左右方向である。）。
【００２１】
連結ファスナーは、並列姿勢に並べられた多数本（例えば１０本程度）の金属製ファスナー（単位ファスナー）１と、これらを連結する合成樹脂製の保持体２と、各ファスナー１に組み込まれた（嵌め込まれた）金属板製の座金（ワッシャー）３とで構成されており、ファスナー１は軸４とその基端に設けた頭部５とから成っている。なお、ファスナー１は頭付き打ち込みピン又は頭付き打ち込み鋲と言い換えてもよい。
【００２２】
図２（Ａ）に示すように、ファスナー１を構成する軸４のうち先端側の４割程度の部分は正面視（或いは縦断面視）で外向き凸状に緩く湾曲したプロフィールを有する砲弾形の先窄まり部４ａになっており、先窄まり部４ａと頭部５との間の部分は、頭部５に向けて外径が徐々に拡大するテーパ状部４ｂになっている。他方、座金３は軸４の先端側に向けて開口した碗状でかつ周縁部は円板状（フランジ状）になっている。そして、座金３は軸４のうち先窄まり部４ａの付け根のあたりに嵌め込まれている。なお、本実施形態では、座金３は頭部５と略同じ外径になっている。
【００２３】
保持体２は、１本のファスナー１における軸４のテーパ状部４ｂを抱持するスリーブ６の群を備えており、隣り合ったスリーブ６は、脆弱部の一例としての上下のブリッジ部７を介して一体に連結されている。次に、図１，２に図３も加えて保持体２の詳細を説明する。図３のうち（Ａ）は保持体２の部分的な分離平面図、（Ｂ）は（Ａ）のＢ−Ｂ視正面図、（Ｃ）は（Ａ）のＣ−Ｃ視正面図、（Ｄ）は分離平断面図である。
【００２４】
(2).保持体２の詳細
保持体２は、ファスナー１の群に一方の側（正確には、ファスナー１の並び方向に広がる面を挟んで一方の側）から重なる第１ユニット８と、ファスナー１の群に他方の側から重なる第２ユニット９とから成っており、第１ユニット８には、スリーブ６の半分を構成する第１部分１１が形成され、第２ユニット９には、スリーブ６の半分を構成する第２部分１２が形成されている。
【００２５】
第１部分１１及び第２部分１２は、ファスナー１の軸４に重なる半割り筒状部１３とその左右両側に連続した板状部１４とから成っている。半割り筒状部１３は軸４のテーパ状部４ｂに倣って上向きに広がるラッパ状になっている。また、第１部分１１及び第２部分１２は正面視で左右横長の長方形に形成されている。本実施形態ではスリーブ６と座金３との間に若干の隙間が空いているが、両者を重ね合わせることも可能である。
【００２６】
第１部分１１の板状部１４と第２部分１２の板状部（平坦部）１４とは互いに重なっており、両板状部１４にそれぞれ上下のブリッジ部７が形成されている。ブリッジ部７の上下両面及び外面には断面Ｖ形のノッチが形成されているが、単純な板状や棒状となすことも可能である（要は、ファスナー１の打ち出しによって千切れたらよい）。
【００２７】
第１部分１１と第２部分１２とを接合する係合手段の一環として、第１部分１１の左右両板状部１４には平面視鉤状の係合爪１５を突設し、第２部分１２の左右両板状部１４には、係合爪１５が弾性に抗しての変形によって引っ掛かり係合する係合穴１６を形成している。係合穴１６への係合爪１５の誘い込みを容易ならしめるため、図３（Ｄ）に示すように、係合爪１５の先端と係合穴１６の内側面とにそれぞれ傾斜ガイド面１５ａ，１６ａを形成している。
【００２８】
第１部分１１には、射出成形法で製造するに際して係合爪１５の型抜きを容易ならしめるための抜き違い穴１７（図４の（Ｂ），（Ｄ）参照）を形成している。この抜き違い穴１７は、係合爪１５よりも上下幅寸法が大きくなっている。本実施形態では係合爪１５及び係合穴１６は正面視で角形に形成しているが、他の形態であっても良い。例えば、係合爪１５を茸状に形成することも可能である。
【００２９】
(3).連結ファスナーの組み立て及び使用例
連結ファスナーの組み立て方法としては、第１ユニット８と第２ユニット９とを一体的に接合して保持体２と成してから各スリーブ６にファスナー１を差し込み、次いで、各ファスナー１に座金３を取り付けるという方法と、図４に示すように、予め各ファスナー１に座金３を組み込んでおいて、それから保持体２の第１ユニット８と第２ユニット９を接合するという方法とがある。
【００３０】
そして、例えば、ファスナー１と座金３とに同じ塗装を施すということがあり、この場合は、作業の手間軽減のためにはファスナー１に座金３を組み込んだ状態で塗装することが好ましいが、本願発明では、塗装等の各種の事情によってファスナー１に座金３が予め組み込まれていても、保持体２で連結して連結ファスナーと成すことができる。このため、打ち込み工具を使用した連続的打ち込みが可能になる。
【００３１】
本実施形態の連結ファスナーは各種の打ち込み工具に使用できる（勿論、マガジンの構造は独自仕様とする必要がある。）。ガス燃焼圧を利用した打ち込み工具としては、本願出願人が「トラックファースト」や「パルサー」の商品名で販売しているものが挙げられる。本実施形態の連結ファスナーをマガジンに装填して、１本ずつ打ち出すことができる。
【００３２】
図５ではワークＷを基材Ｂに固定した状態の例を表示しており、ワークＷ及び基材Ｂとも鋼材からなっている。例えば、建物において、鋼板製のデッキプレートをＨ型鋼製の梁材に締結することに使用されており、ファスナー１の軸４は基材Ｂに途中までしか進入せず、座金３が軸４のテーパ状部４ｂにつかえることにより、ワークＷは座金３を介して基材Ｂに押さえ固定されている。
【００３３】
図５のうち（Ａ）ではスリーブ６が飛散した状態を示しており、（Ｂ）ではスリーブ６がファスナー１に残っている状態を示している。打込み後にスリーブ６がファスナー１に残るか飛散するかは一概には言えず、保持体２の素材の硬さ、係合爪１５と係合穴１６との係合強度の程度、スリーブ６の上下高さ寸法、ファスナー１の打ち込み深さ等の各種の条件により、飛散したり残ったりする。
【００３４】
本実施形態では、図２（Ｄ）から推測できるように、左右の係合爪１５の間隔寸法は軸４の外径よりもかなり大きいため、係合爪１５と係合穴１６との係合状態を保持したままで第１部分１１の半割り筒状部１３と第２部分１２の半割り筒状部１３とが大きく離反する（膨れる）傾向を呈することになり、このため、打ち込み後においても図５（Ｄ）のようにスリーブ６がファスナー１に残ったままになることが多いと言える。
【００３５】
スリーブ６が飛散した方が良いかファスナー１に残ったままになった方が良いかは施工現場の要請で相違するものである。従って、現場の要請に応じて飛散したり飛散しなかったりするように、係合爪１５と係合穴１６との係合強度を設定したら良い。このような設定を行えることは、保持体２を２つのユニット８，９に分離している本願発明の利点の一つである。
【００３６】
特許文献１に記載しているように、打ち込み工具におけるマガジンに設けた鋼製ガイドレールをファスナー１の軸に接触させる場合がある。この場合は、図２（Ｂ）に一点鎖線で示すように、スリーブ６を構成する半割り筒状部１３に、軸４の表面を露出させる窓穴１８を形成したら良い。
【００３７】
また、打ち込み工具のロッド（ハンマーブレード）で先頭のファスナー１を打ち出すにおいて、後続のファスナー１が嵌まっているスリーブ６は、マガジン（或いは打ち込み工具のヘッド部）に形成した溝状の支持体で支持されている必要がある。支持体による支持を確実ならしめるため、図２（Ｃ）に一点鎖線で示すように、スリーブ６に張り出し部１９を形成することも可能である。先頭から２番目のスリーブ６を確実に支持するためのスリーブ６の具体的な形態は、打ち込み工具におけるマガジンやヘッド部の形態に応じて選択したら良い。
【００３８】
(4).他の実施形態
図６では第２実施形態及び第３実施形態を示している。（Ａ）（Ｂ）は第２実施形態を示しており、（Ａ）部分的な正面図、（Ｂ）は（Ａ）のＢ−Ｂ視断面図である。この実施形態では、第１部分１１と第２部分１２を接合する係合手段として、第２部分１２の前面に上下一対の段落ち状凹所（係合凹所）２０を形成する一方、第１部分１１には段落ち状凹所２０に嵌まり込む上下一対の係合爪１５を形成している。
【００３９】
この第２実施形態では、係合爪１５は段落ち状凹所２０に入り込んでおり、また、段落ち状凹所２０は上下外側に切り開かれている（位置決めのためである）。また、ブリッジ部７は１箇所だけに形成している。
【００４０】
（Ｃ）及び（Ｄ）は第３実施形態を示しており、（Ｃ）は要部断面図、（Ｄ）は（Ｃ）のＤ−Ｄ視正面図である。この実施形態では、係合手段として、第１部分１１と第２部分１２とにそれぞれ係合爪１５を形成して、両者を噛み合わせている。
【００４１】
図７では第４実施形態を示している。すなわち、図７は保持体２の変形例の分離平断面図であり、保持体２は、第１部分１１と第２部分１２とにそれぞれ係合爪１５と係合穴１６を左右対称状に形成している。その他の構成は第１実施形態と同じである。この実施形態では第１ユニット８と第２ユニット９とは同じ形態になっており、このため、保持体２のパーツとして１種類のユニットを製造するだけで良い利点がある。
【００４２】
【００４３】
(5).その他
本願発明は上記の実施形態の他にも様々に具体化できる。例えばファスナーの形態（断面形状、長さ、太さなど）は用途に応じて自由に設計できる。ファスナーでは、フランジ状に張り出した頭部５を設けずに、テーパ状部４ｂの端部を頭部として認識することも可能である。
【００４４】
座金の形態は用途に応じて自由に設計できるのであり、例えば、平座金としたりばね座金としたりすることも可能である。
【００４５】
保持体２の形態もファスナーの形状や打ち込み工具の様式等に応じて自由に設計できる。脆弱部は、細幅のブリッジ部に代えて、薄い膜体と成すといったことも可能である。  
【００４６】
また、実施形態ではファスナーは頭部と先端とを揃えて配置しているが、隣り合ったファスナーを軸方向に少しずつずらすことも可能である（この場合、打ち込み工具のマガジンはロッドの進行方向に対して傾斜することになる。）。
【図面の簡単な説明】
【００４７】
【図１】第１実施形態に係る連結ファスナーの一部省略正面図である。
【図２】連結ファスナーの構造を示す図である。
【図３】保持体の構造を示す図である。
【図４】連結ファスナーの組み立て工程の一例を示す図である。
【図５】打ち込み後の状態を示す図である。
【図６】第２実施形態及び第３実施形態を示す図である。
【図７】第４実施形態を示す図である。
【符号の説明】
【００４８】
１  ピン状又は鋲状のファスナー
２  保持体
３  座金
４  ファスナーの軸
５  ファスナーの頭部
６  スリーブ
７  脆弱部の一例としてのブリッジ部
８  第１ユニット
９  第２ユニット
１１  第１部分
１２  第２部分
１５  係合爪
１６  係合穴
【図１】
0004739118.tif 000002
【図２】
0004739118.tif 000003
【図３】
0004739118.tif 000004
【図４】
0004739118.tif 000005
【図５】
0004739118.tif 000006
【図６】
0004739118.tif 000007
【図７】
0004739118.tif 000008